(57)【要約】【課題】  送信側または受信側の少なくともいずれか一方に複数の伝送経路を有するネットワークにおいても、正しいネットワーク品質評価が行えるネットワーク品質評価装置を提供すること。【解決手段】  送信側または受信側の少なくともいずれか一方に複数の伝送経路が設けられたネットワークにおいて、  前記各経路に配置され被測定対象パケットを抽出する複数のプローブと、  これら複数のプローブが抽出したパケット情報からパケット対を検知し通信品質を測定する測定手段、を設けたことを特徴とするネットワーク品質評価装置である。【選択図】                    図１
2007019786.tif 000002
【特許請求の範囲】
【請求項１】
送信側または受信側の少なくともいずれか一方に複数の伝送経路が設けられたネットワークにおいて、
前記各経路に配置され被測定対象パケットを抽出する複数のプローブと、
これら複数のプローブが抽出したパケット情報からパケット対を検知し通信品質を測定する測定手段、
を設けたことを特徴とするネットワーク品質評価装置。
【請求項２】
前記プローブは、抽出したパケット情報にタイムスタンプを付加して測定手段に伝送することを特徴とする請求項１記載のネットワーク品質評価装置。
【請求項３】
前記測定手段は、ネットワークの送信側と受信側のそれぞれでプローブにより抽出されたパケット情報をグループ化し、各グループ単位でパケット対を検知することを特徴とする請求項１または２に記載のネットワーク品質評価装置。
【請求項４】
前記測定手段は、ネットワークのそれぞれの経路毎に、ネットワークの通信品質評価項目に含まれるトラフィック分布、パケットロスの有無、遅延時間の大きさ、遅延時間のゆらぎ、スループットの少なくともいずれかについての測定を行うことを特徴とする請求項１記載のネットワーク品質評価装置。
【請求項５】
前記測定手段は、分岐系統の各経路における遅延時間の推移をモニター結果に基づき各経路へのパケット転送比率を制御することを特徴とする請求項１記載のネットワーク品質評価装置。
【発明の詳細な説明】
【技術分野】
【０００１】
本発明は、ネットワーク品質評価装置に関するものであり、通信ネットワーク上を伝播する通信パケットを複数個所で抽出して取り込み、その情報に基づき通信ネットワークの通信品質を評価する装置の改良に関するものである。
【背景技術】
【０００２】
身近な通信ネットワークとしてインターネットが普及しているが、このような通信ネットワークにおいて、利用したいサービスに対する通信品質が十分に満たされていないと、パケットデータの欠落や遅延時間の揺らぎなどの通信異常障害が発生することがある。
このような通信異常障害が発生すると、例えば音声情報サービスの場合には受信音声が断続したり、動画情報サービスの場合には受信動画の動きが不自然になってしまうことがある。
【０００３】
また、インターネットでは通信ネットワークの途中経路を複数の端末やサービスで共用しているので、同時にアクセスするユーザ数が多くなるとユーザ数が少ない場合に比べて通信品質が低下することがある。さらに、通信ネットワークを構成する回線において、支線部分が過負荷状態になっている場合もある。
【０００４】
そこで、これら通信ネットワーク回線の通信品質評価やトラフィック監視等を行うために、通信ネットワーク上を伝播する通信パケットを複数個所で抽出して取り込み、その情報に基づき通信ネットワークの通信品質を評価するネットワーク品質評価装置が用いられている。
【０００５】
【特許文献１】特開２００３−１０１５８３号公報
【特許文献２】特開２００１−１２７７９５号公報
【０００６】
特許文献１には、通信パケットを取り込み、タイムスタンプと共に情報として出力する取り込み手段と、一定期間の情報が記憶されるリングメモリと、通信ネットワークに接続されたプローブマネージャとの間で通信を行う通信回路と、装置全体を制御すると共に通常状態ではリングメモリに記憶されている情報を間引いて読み出してプローブマネージャに送信し、プローブマネージャから詳細読み出し要求があった場合にはリングメモリに記憶されている情報をそのまま読み出してプローブマネージャに送信する制御回路とを設けることにより、プローブとプローブマネージャとの間の通信の情報量を減少させることが可能なネットワーク品質評価装置が記載されている。
【０００７】
特許部文献２には、通信ネットワークの複数個所からパケットデータを抽出し、これら抽出データに基づいてネットワークの通信品質を評価するネットワーク品質評価装置において、通信品質の悪化検出をトリガとして、通信ネットワークに通信品質測定用のテストパケットデータを送信することにより、通信品質の悪化が明らかになった場合、その発生場所を的確に特定できるネットワーク品質評価装置が記載されている。
【０００８】
図２は、従来のネットワーク品質評価装置の一例を示す構成図である。図２において、ＩＳＰ（Internet Service Provider）ネットワーク１,２はプロバイダが提供する通信ネットワークである。複数の企業ネットワーク３〜６や旧電話網７は、これらＩＳＰネットワーク１,２およびルータＲを介して相互に接続されている。
【０００９】
また、ＩＳＰネットワーク１には、サーバー８とプローブマネージャ９が接続されている。サーバー８は、ビデオ、ウェブ、メール、ニュースなどを配信する。プローブマネージャ９には、通信ネットワーク上からパケットデータを抽出する機能を有するプローブ１０,１１が接続されている。
【００１０】
プローブ１０は企業ネットワーク（本社）３とＩＳＰネットワーク１を接続する経路に流れるパケットデータを抽出するように設けられ、プローブ１１はＩＳＰネットワーク１と企業ネットワーク（支社）６を接続する経路に流れるパケットデータを抽出するように設けられている。
【００１１】
このような構成において、被測定対象パケットは、企業ネットワーク（本社）３に接続されているホスト１２からＩＳＰネットワーク１を経由して企業ネットワーク（支社）６に接続されているホスト１３に流れるものとする。
【００１２】
プローブマネージャ９は、企業ネットワーク（本社）３とＩＳＰネットワーク１の経路に接続されたプローブ１０で抽出された特定のパケット情報と、企業ネットワーク（支社）６とＩＳＰネットワーク１の経路に接続されたプローブ１１で抽出された特定のパケット情報とを取り込む。
【００１３】
そして、これら取り込んだパケット情報に基づいてパケット対を検知し、パケットデータやタイムスタンプの照合や演算等を行い、企業ネットワーク（本社）３と企業ネットワーク（支社）６間でのパケットロスの有無、遅延時間の大きさ、遅延時間のゆらぎ、スループット等、ネットワークの通信品質評価項目についての測定を行う。
【００１４】
図３は図２で用いるプローブの具体例を示すブロック図である。図３において、ポート２１に企業ネットワーク（本社）３とＩＳＰネットワーク１を接続する経路の企業ネットワーク（本社）３のルータを接続し、ポート２２にＩＳＰネットワーク１のルータを接続する。ポート２１およびポート２２には、接続部として例えば光ファイバ用のＧＢＩＣとメタルケーブル用のＲＪ４５が設けられており、接続するネットワークの種類に応じて適合する接続部を選択して接続する。
【００１５】
物理層回路２３,２４は、ネットワークを介して伝送されてきたパケットデータをロジック信号に変換する。フィルタ回路２５,２６は指定された通信パケットから必要なパケットまたはデータをタイムスタンプとともに選択的に取り出す。
【００１６】
メモリ制御回路２７,２８は、フィルタ回路２５,２６で選択されたパケットまたはデータをタイムスタンプとともに受け取り、これらの情報をメモリ２９,３０に書き込む。
【００１７】
制御部３１は、メモリ２９,３０に記憶した情報を外部通信インターフェース３２を介してプローブマネージャ９に送信するように制御する。
【００１８】
なお通信ネットワークには、例えば１０００ＢＡＳＥ−ＳＸ／ＬＸ／Ｔや１００ＢＡＳＥ−ＴＸ、１０ＢＡＳＥ−Ｔなど通信速度が異なる複数種類があり、通常、速度の異なるネットワークを接続した場合、それぞれ接続点のルータ間でＩＥＥＥ８０２．３ｕに規定された２装置間のプロトコルであるオートネゴシエーションが行われ、通信速度の設定が行われる。
【発明の開示】
【発明が解決しようとする課題】
【００１９】
ところで、企業ネットワークを構築するのにあたり、図２に示すように複数のＩＳＰネットワーク１，２と契約して複数の伝送経路を有するマルチホーミング構成とすることも行われている。
【００２０】
図２のようなマルチホーミングでは、被測定対象パケットは、企業ネットワーク（本社）３に接続されているホスト１２から企業ネットワーク（支社）６に接続されているホスト１３に流れるのにあたって、ＩＳＰネットワーク１から直ちに企業ネットワーク（支社）６に流れるのではなく、ＩＳＰネットワーク１からさらにＩＳＰネットワーク２を経由する場合も考えられる。
【００２１】
しかし、図２の構成によれば、企業ネットワーク（支社）６とＩＳＰネットワーク１の経路にはプローブ１１が接続されているが、企業ネットワーク（支社）６とＩＳＰネットワーク２の経路にはプローブが接続されていないので、ＩＳＰネットワーク１からさらにＩＳＰネットワーク２を経由する被測定対象パケットを抽出することはできない。
【００２２】
すなわち、図２の構成では、被測定対象パケットが、企業ネットワーク（本社）３に接続されているホスト１２からＩＳＰネットワーク１およびＩＳＰネットワーク２を経由して企業ネットワーク（支社）６に接続されているホスト１３に流れた場合には、正しく通信が行われているにも拘わらずプローブ１１は被測定対象パケットを抽出できず、プローブマネージャ９はパケットロスが発生したと誤った判断をしてしまうことになる。
【００２３】
本発明は、このような従来の問題点に着目したものであり、その目的は、送信側または受信側の少なくともいずれか一方に複数の伝送経路を有するネットワークにおいても、正しいネットワーク品質評価が行えるネットワーク品質評価装置を提供することにある。
【課題を解決するための手段】
【００２４】
このような課題を達成するために、請求項１の発明は、
送信側または受信側の少なくともいずれか一方に複数の伝送経路が設けられたネットワークにおいて、
前記各経路に配置され被測定対象パケットを抽出する複数のプローブと、
これら複数のプローブが抽出したパケット情報からパケット対を検知し通信品質を測定する測定手段、
を設けたことを特徴とするネットワーク品質評価装置である。
【００２５】
請求項２の発明は、請求項１記載のネットワーク品質評価装置において、
前記プローブは、抽出したパケット情報にタイムスタンプを付加して測定手段に伝送することを特徴とする。
【００２６】
請求項３の発明は、請求項１または２に記載のネットワーク品質評価装置において、
前記測定手段は、ネットワークの送信側と受信側のそれぞれでプローブにより抽出されたパケット情報をグループ化し、各グループ単位でパケット対を検知することを特徴とする。
【００２７】
請求項４の発明は、請求項１記載のネットワーク品質評価装置において、
前記測定手段は、ネットワークのそれぞれの経路毎に、ネットワークの通信品質評価項目に含まれるトラフィック分布、パケットロスの有無、遅延時間の大きさ、遅延時間のゆらぎ、スループットの少なくともいずれかについての測定を行うことを特徴とする。
【００２８】
請求項５の発明は、請求項１記載のネットワーク品質評価装置において、
前記測定手段は、分岐系統の各経路における遅延時間の推移をモニター結果に基づき各経路へのパケット転送比率を制御することを特徴とする。
【発明の効果】
【００２９】
本発明によれば、送信側または受信側の少なくともいずれか一方に複数の伝送経路を有するネットワークにおいても、正しくネットワーク品質評価が行える。
【００３０】
また、ネットワーク全体における負荷の適正分散を図ることができ、負荷の集中による伝送障害を回避してネットワーク全体の安定性を高めることができる。
【発明を実施するための最良の形態】
【００３１】
以下、本発明のネットワーク品質評価装置について、図１を用いて説明する。図１は本発明の実施例を示す構成図であり、図２と同一のものについては同一の符号をつけ、説明を省略する。
【００３２】
図１と図２の違いは、図１において、マルチホーミングのネットワークを構成するＩＳＰネットワーク２と企業ネットワーク（支社）６を接続する経路にもプローブ１４を設けていて、この経路を流れるパケットデータを抽出するようにしていることと、プローブマネージャ９はこのプローブ１４で抽出された特定のパケット情報も取り込み、通信品質を測定する点である。
【００３３】
プローブマネージャ９は、マルチホーミング構成のネットワークの各経路に配置されている被測定対象パケットを抽出する複数のプローブ１０，１１，１４が抽出したパケット情報からパケット対を検知し、通信品質を測定する。ここで、プローブマネージャ９は、ネットワークの送信側と受信側のそれぞれでプローブにより抽出されたパケット情報をグループ化し、各グループ単位でパケット対を検知する。
【００３４】
図１において、被測定対象パケットが、企業ネットワーク（本社）３に接続されているホスト１２からＩＳＰネットワーク１を経由して企業ネットワーク（支社）６に接続されているホスト１３に流れるものとすると、送信側の経路は企業ネットワーク（本社）３からＩＳＰネットワーク１に至る１系統であるが、受信側の経路はＩＳＰネットワーク１から企業ネットワーク（支社）６に至る系統とＩＳＰネットワーク２から企業ネットワーク（支社）６に至る系統の２系統である。
【００３５】
そこで、プローブマネージャ９は、受信側のパケット情報については、ＩＳＰネットワーク１から企業ネットワーク（支社）６に至る経路に接続されたプローブ１１で抽出される特定のパケット情報と、ＩＳＰネットワーク２から企業ネットワーク（支社）６に至る経路に接続されたプローブ１４で抽出される特定のパケット情報をグループとする。そして、このグループ単位を構成するいずれかのプローブ１１，１４で抽出されるパケット情報を用いて、送信側の経路に接続されたプローブ１０で抽出されるパケット情報とのパケット対を検知する。
【００３６】
これにより、被測定対象パケットが企業ネットワーク（本社）３に接続されているホスト１２からＩＳＰネットワーク１を経由して企業ネットワーク（支社）６に接続されているホスト１３に流れた場合にはプローブ１１で抽出され、被測定対象パケットが企業ネットワーク（本社）３に接続されているホスト１２からＩＳＰネットワーク１およびＩＳＰネットワーク２を経由して企業ネットワーク（支社）６に接続されているホスト１３に流れた場合にはプローブ１４で抽出されるので、プローブマネージャ９はいずれの場合も正しくネットワーク品質評価を行うことができる。
【００３７】
なお、図１では、送信側と受信側の間においてネットワーク品質評価測定を行う例について説明したが、複数の伝送経路を有するネットワークのそれぞれの経路毎にネットワーク品質評価測定を行うようにしてもよい。
【００３８】
また、図１では、伝送経路は送信側が１系統で受信側が２系統の例を説明したが、これに限るものではなく、送信側が２系統で受信側が１系統でもよいし、それぞれが３系統以上であってもよい。
【００３９】
また、複数の伝送経路を有するネットワークのそれぞれの経路毎に、ネットワークの通信品質評価項目に含まれるトラフィック分布、パケットロスの有無、遅延時間の大きさ、遅延時間のゆらぎ、スループットの少なくともいずれかについての測定を行うこともできる。
【００４０】
また、本発明はマルチホーミング構成のネットワークに限るものではなく、負荷分散装置などの多重化されたネットワークにも適用できる。例えば、プローブマネージャ９で分岐系統の各経路における遅延時間の推移をモニターしていて、一方の経路の遅延時間が増加傾向を示すようになったら各経路へのパケット転送比率を調整して平均化するように制御する。これにより、ネットワーク全体における負荷の適正分散を図ることができ、負荷の集中による伝送障害を回避してネットワーク全体の安定性を高めることができる。
【００４１】
以上説明したように、本発明によれば、送信側または受信側の少なくともいずれか一方に複数の伝送経路を有するネットワークにおいて、正しくネットワーク品質評価が行えるネットワーク品質評価装置が実現できる。
【図面の簡単な説明】
【００４２】
【図１】本発明の一実施例を示す構成図である。
【図２】従来のネットワーク品質評価装置の一例を示す構成図である。
【図３】本発明で用いるプローブの一例を示すブロック図である。
【符号の説明】
【００４３】
１，２  ＩＳＰネットワーク
３〜６  企業ネットワーク
７  旧電話網
８  サーバー
９  プローブマネージャ
１０,１１,１４  プローブ
１２,１３  ホスト
【図１】
2007019786.tif 000003
【図２】
2007019786.tif 000004
【図３】
2007019786.tif 000005